(57)【要約】【課題】複数の写真等の表示シートの組み合わせを楽しむことができ、また、その複数の写真の相対的な位置の自由度が大きく、バリエーションに優れた立体表示シート鑑賞立てを提供することを目的とする。【解決手段】表示シートＤ１，Ｄ２，Ｄ３を支持するべき支持面を持つ複数の支持部２０、２４、２８が額フレーム１２に保持されており、該額フレーム１２は、前後に離間して且つ前後方向に重ね合わせて支持部２０、２４、２８を保持することができ、最後部を除く支持部２０、２４の支持面は、透明薄板２１、２２、２５、２６、２９の面で構成される。【選択図】　図２
0003097660.tif 000002
【実用新案登録請求の範囲】
【請求項１】
複数の写真、絵等の表示シートを収納可能であり、それらの複数の表示シートを立体的に配置することが可能になった立体表示シート鑑賞立てであって、
表示シートを収納可能となった額フレームと、
額フレームに保持されて、表示シートを支持するべき支持面を持つ複数の支持部と、を備え、
前記額フレームは、前後に離間して且つ前後方向に重ね合わせて支持部を保持することができ、少なくとも最後部を除く支持部の支持面は、透明薄板の面で構成されることを特徴とする立体表示シート鑑賞立て。
【請求項２】
前記額フレームは、それぞれ一側縁が連結され、他側縁が開放可能となった前面フレーム部と後面フレーム部とを有し、該前面フレーム部と後面フレーム部とで他側縁を閉鎖した状態で形成される内部空間内に、前記支持部を前後方向に離間して保持するものであることを特徴とする請求項１記載の立体表示シート鑑賞立て。
【請求項３】
前記前面フレーム部と後面フレーム部は、それぞれ錘台形状であり、錘台形状の前面フレーム部と後面フレーム部の底面同士を重ね合わせて前記内部空間を形成する請求項２記載の立体表示シート鑑賞立て。
【請求項４】
前記複数の支持部は、前記錘台形状の前面フレーム部及び後面フレーム部のそれぞれの頂面及び該２つの頂面の間に配置される請求項３記載の立体表示シート鑑賞立て。
【請求項５】
前記額フレームは、その内部縁に前後に離間した複数の溝を有し、該溝で支持部を保持しており、額フレームの一側から該支持部を取り出し、または支持部を溝内に挿入可能であることを特徴とする請求項１記載の立体表示シート鑑賞立て。
【請求項６】
前記額フレームは、押出成形で形成される前記溝を有する複数のフレーム部材と、隣接するフレーム部材の端部同士を結合するジョイントから構成される請求項５記載の立体表示シート鑑賞立て。
【請求項７】
前記額フレームは、互いに屈曲可能にジグザグ状に連結された複数のフレーム部からなり、各フレーム部が支持部をそれぞれ保持することができ、フレーム部の一側から該支持部を取り出し、または支持部をフレーム部に挿入可能であることを特徴とする請求項１記載の立体表示シート鑑賞立て。
【請求項８】
前記支持部は、一対の支持面を有し、該一対の支持面の間に表示シートを挟着するものである請求項１記載の立体表示シート鑑賞立て。
【請求項９】
前記一対の支持面は、一対の薄板の対向する面によって構成される請求項８記載の立体表示シート鑑賞立て。
【考案の詳細な説明】
【０００１】
【考案の属する技術分野】
本考案は、写真、はがき、絵、切り抜き等の表示シートを立体的に配置することができる立体表示シート鑑賞立てに関する。
【０００２】
【従来の技術】
従来の表示シート鑑賞立てとして一般的に知られる写真立ては、平面的な写真を透明な表パネルと裏パネルとの間で挟むなどして、額内に入れている。しかしながら、このような写真立てでは、平面的にしか鑑賞することができないという問題がある。
【０００３】
これに対して、写真を立体的に鑑賞できる立体写真立てとして、従来いくつかの提案がなされている。
【０００４】
例えば、特許文献１（実開平５−５８０７９号公報）に記載された考案による立体写真立ては、前面側に膨出する凸面状の透明表パネルと、凸面状の透明表パネルの後方に配され、前面側に膨出するパネル面に写真を形成した凸面状の写真パネルと、これら透明表パネルと写真パネルとを嵌め込んで固定する額縁とから構成される。または、凸面状の透明表パネルと、前面側に膨出する凸面状の透明写真押えと、この凸面状の透明写真押えと同じ曲率を有する凸面状の押え裏板と、透明表パネルを嵌め込むと共に写真を挟み込んだ透明写真押えと押え裏板を透明表パネルの後部に挟み込んで固定する額物と、から構成される。この公報に記載された立体写真立ては、一枚の写真を凸状に膨出させることにより、立体的に見えるようにしたものであるが、１枚の写真しか鑑賞することができず、単調である。
【０００５】
また、特許文献２（特開平７−２０４０６８号公報）に記載された発明による立体写真立ては、表面パネルの窓穴部分にレンズを設け、表面パネルの背面側に少なくとも１枚の写真を収容するポケット部を備えた箱体を取り付け、この箱体内のポケット部に収容された写真を背面側を付勢部材によって付勢し、さらにポケット部の前面側には、最前部に位置した写真をレンズ面から所定距離隔てた位置に規制する係止部を設けている。最前部に位置した写真をレンズを通して見ることにより、拡大写真とすることができる。しかしながら、ポケット部に複数枚の写真を収容することはできるものの、一度に見ることができる写真はあくまで最前部に位置した写真だけであり、単調であるという問題がある。
【０００６】
これに対して、特許文献３（実開平２−７４８６０号公報）に記載された考案による立体写真立ては、背景写真立てと、背景写真立ての前方に、小さくて透明な写真立てを設けている。背景写真立てと、前方の写真立てとは、それぞれ載置板によって位置決めされているが、この構成は、複数の写真立てを載置板によって一体的に構成しているために、嵩張って携帯に不向きであり、さらには前方の写真立てに入れる写真と、背景写真立てに入れる写真との間の相対的な位置関係に自由度がないという問題がある。
【０００７】
また、特許文献４（登録実用新案第３０１３１４８号公報）に記載された考案によるシート状鑑賞物鑑賞用組み合わせ体は、絵葉書等のシート状鑑賞物を保持する保持具を備えており、保持具によってシート状鑑賞物を凹状に湾曲するように保持している。また、シート状鑑賞物と対向する所定の位置に立体鑑賞物を置くことにより、凹状に湾曲したシート状鑑賞物と、その前方に置かれた立体鑑賞物とを一度に鑑賞することができる。しかしながら、この構成では、立体鑑賞物は、シート状鑑賞物と保持具の前壁との間にはめ込まれた薄板からなる立体鑑賞物位置決め手段上の所定の位置に接着により固定するようになっている。従って、立体鑑賞物は立体鑑賞物位置決め手段上にしか位置決めすることができず、シート状鑑賞物と立体鑑賞物との間の相対的な位置関係に自由度がないという問題がある。
【０００８】
また、特許文献５（実開平５−８８９９９号公報）に記載された考案による立体写真立ては、最後部の全体写真の上に透明な中間パネルを積層し、該中間パネルの前面に中近景部分写真を積層し、さらに、中間パネルを積層し、最前部の近景写真上に透明な前面パネルを積層して、これらを積層状態でフレーム本体に嵌め込み、フレーム本体の前面部に着脱自在にフレーム枠を取り付けている。しかしながら、この構成では、透明な中間パネル及び前面パネルと複数の写真とをすべて重ね合わせているために、写真がずれないように重ね合わせるのは容易ではなく、また、中間の写真の取替えを行うのにも、中間の写真だけを取り出して、入れ直すことは困難であり、結局は、すべての写真とパネルの重ね合わせるのをやり直さなければならず、手間がかかるという問題がある。また、前方の中近景部分写真と全体写真との間は、厚みがある中間パネルによって間隔が保持されるために、立体感を出すために間隔を大きくするためには、パネルの厚みが厚くなり、屈折の影響が大きくなり、あまり間隔を大きくすることができないという問題がある。
【０００９】
【特許文献１】
実開平５−５８０７９号公報
【特許文献２】
特開平７−２０４０６８号公報
【特許文献３】
実開平２−７４８６０号公報
【特許文献４】
登録実用新案第３０１３１４８号公報
【特許文献５】
実開平５−８８９９９号公報
【００１０】
【考案が解決しようとする課題】
本考案の目的は、複数の写真等の表示シートの組み合わせを楽しむことができ、また、その複数の写真の相対的な位置の自由度が大きく、バリエーションに優れた立体表示シート鑑賞立てを提供することである。
【００１１】
また、本考案の他の目的は、複数の表示シートの間の間隔を大きくとることができて、立体感に優れる一方で、全体をコンパクトに構成することができ、携帯性にも優れた立体表示シート鑑賞立てを提供することである。
【００１２】
【課題を解決するための手段】
前述した目的を達成するために、本考案は、複数の写真、絵等の表示シートを収納可能であり、それらの複数の表示シートを立体的に配置することが可能になった立体表示シート鑑賞立てであって、
表示シートを収納可能となった額フレームと、
額フレームに保持されて、表示シートを支持するべき支持面を持つ複数の支持部と、を備え、
前記額フレームは、前後に離間して且つ前後方向に重ね合わせて支持部を保持することができ、少なくとも最後部を除く支持部の支持面は、透明薄板の面で構成されることを特徴とする。
【００１３】
各支持部の支持面に写真等の表示シートを支持させて、額フレームで各支持部を前後に離間して且つ前後方向に重ね合わせて保持する。各支持部にそれぞれ好みの表示シートを支持させることで、表示シートの組み合わせを楽しむことができる。例えば、最後部の支持部には背景写真や背景絵葉書等を支持させ、最後部以外の支持部に写真や絵柄などの切り抜きを支持させて、支持部を重ね合わせると、立体的な広がりのある作品が自作できる。
【００１４】
支持部の支持面で表示シートを支持するので、各支持部の支持面で支持する位置を色々に変化させることにより、前後の表示シートの相対的位置の自由度を大きくすることができる。
【００１５】
額フレームで複数の支持部を保持すると共に、少なくとも最後部以外の支持部の支持面は、透明薄板の面で構成され、支持部と隣接する支持部との間は中空、即ち、空間で構成することができるために、屈折率の影響を除去し、且つ、広々とした立体空間を構成することができる。また、コンパクトに構成することができ、携帯性にも優れたものとすることができる。最後部の支持部の支持面を透明薄板の面で構成してもよいことは言うまでもない。
【００１６】
前記額フレームは、それぞれ一側縁が連結され、他側縁が開放可能となった前面フレーム部と後面フレーム部とを有し、該前面フレーム部と後面フレーム部とで他側縁を閉鎖した状態で形成される内部空間内に、前記支持部を前後方向に離間して保持するものとすることができる。この構成により、前面フレーム部と後面フレーム部との間の他側縁を開放して、各支持部に支持される表示シートを交換またはその位置を変更することができる。また、この場合に、前記前面フレーム部と後面フレーム部は、それぞれ錘台形状であり、錘台形状の前面フレーム部と後面フレーム部の底面同士を重ね合わせて前記内部空間を形成するとよい。２つの錘台形状を重ね合わせることにより、コンパクトな全体形状でありながら広い内部空間を画成することができる。さらに、この複数の支持部は、前記錘台形状の前面フレーム部及び後面フレーム部のそれぞれの頂面及び該２つの頂面の間に配置されることができる。これにより、各支持部の間隔を広くとることができる。
【００１７】
または、前記額フレームは、その内部縁に前後に離間した複数の溝を有し、該溝で支持部を保持しており、額フレームの一側から該支持部を取り出し、または支持部を溝内に挿入可能であるものとすることができる。この構成により、各溝に保持される支持部を溝から取り出して、各支持部に支持される表示シートを交換またはその位置を変更することができる。また、この場合に、額フレームは、押出成形で形成される溝を有する複数のフレーム部材と、隣接するフレーム部材の端部同士を結合するジョイントから構成することができる。これにより、フレーム部材を一度に安価に製造することができる。
【００１８】
または、前記額フレームは、互いに屈曲可能にジグザグ状に連結された複数のフレーム部からなり、各フレーム部が支持部をそれぞれ保持することができ、フレーム部の一側から該支持部を取り出し、または支持部をフレーム部に挿入可能であるものとすることができる。この構成により、各フレーム部に支持される表示シートを交換またはその位置を変更することができる。
【００１９】
また、前記支持部は、一対の支持面を有し、該一対の支持面の間に表示シートを挟着するものとすることができ、さらに、一対の支持面は、一対の薄板の対向する面によって構成することができる。
【００２０】
【考案の実施の形態】
以下、図面を用いて本考案の実施の形態を説明する。本考案は下記実施形態に限定されるものではない。
【００２１】
（第１の実施形態）
図１は本考案の立体表示シート鑑賞立ての第１の実施形態を表す全体斜視図である。図において、この立体表示シート鑑賞立て１０は、見開き可能となった額フレーム１２を備えている。額フレーム１２は、図２ないし図４に示したように、前面フレーム部１２ａと後面フレーム部１２ｂと、から構成され、前面フレーム部１２ａと後面フレーム部１２ｂとは、それぞれ上側縁でヒンジ結合され、下側で開放可能となっている。前面フレーム部１２ａと後面フレーム部１２ｂは、全体的に、四角錘台の形状をなしている。
【００２２】
図６は、具体的に、この四角錘台をボール芯で構成する場合の例である。図６（ａ）に示すように、ボール芯を末広がりとなったコの字型に抜き、コの字型の角部で折曲げて立体形状とする。四角錐台の底面が長方形である場合には、図６（ｂ）に示すように、その長方形の長辺と短辺に対応した底辺を持つ二種類のコの字型部材を２個ずつ用意して、これらを図６（ｃ）に示すように、重ね合わせて貼り合わせると、四角錘台を構成することができる。上側または下側のコの字型部材が元の末広がりの形状に戻ろうとする力に対して、反対側のコの字型部材の底辺がそれを阻止するために、結果として四角錘台形状が保持される。
【００２３】
但し、このように形成される四角錘台の形状の枠部材は、以上のようなボール芯によるものではなく、硬質プラスチック材料からなるプラスチック成型品とすることも可能である。または木材、金属材料から構成することも可能である。
【００２４】
このように形成される四角錘台の形状の枠部品を２つ形成した後、それぞれ合成樹脂シートで覆って外部縁及び内部縁をそれぞれ高周波ウエルダ等により溶着して、前面フレーム部１２ａと後面フレーム部１２ｂをそれぞれ形成し、さらに、それぞれの一側縁同士を高周波ウエルダ等で溶着して、ヒンジ結合部１２ｃを形成する。
【００２５】
こうして、ヒンジ結合部１２ｃを中心として、前面フレーム部１２ａと後面フレーム部１２ｂとは開閉可能であり、前面フレーム部１２ａに取り付けられた舌部１２ｇに設けられたスナップボタンとしての結合部１２ｄが、後述の後部カバー３０に設けられたスナップボタンとしての結合部１２ｅと結合されると、図２に示したように、２つの四角錘台の底面が重ね合わされて、これらの四角錘台が対向した状態で、広い中空の内部空間１８が形成される。そして、広い中空の内部空間１８内に、複数の支持部２０、２４、２８が互いに離間して設けられる。
【００２６】
図３に示すように、前面フレーム部１２ａの内部縁付近には、写真等の表示シートを挟着するための前部支持部２０が保持される。前部支持部２０は、一対のプラスチック透明薄板２１、２２からなる。一方の透明薄板２１は、その全周縁が前面フレーム部１２ａの内周縁に溶着されて、前面フレーム部１２ａの内部縁に渡り張り合わされており、他方の透明薄板２２は、前面フレーム部１２ａに内部縁の３辺に溶着された誘導片１２ｈによって透明薄板２１に対してスライド可能に保持される。
【００２７】
図３に示すように、後面フレーム部１２ｂの外部縁付近には、３つのポケット１２ｆが取り付けられており、該３つのポケット１２ｆには、写真等の表示シートを挟着するための中間支持部２４が保持される。中間支持部２４は、一対のプラスチック透明薄板２５、２６からなる。両方の透明薄板２５、２６の角部及び辺部は、それぞれ対応するポケット１２ｆに差し込まれている。
【００２８】
また、図４に示すように、後面フレーム部１２ｂの内縁部付近には、写真等の表示シートを挟着するための後部支持部２８が保持される。後部支持部２８は、透明薄板２９と、後部カバー３０とからなる。透明薄板２９は、その全周縁が後面フレーム部１２ｂの内周縁に溶着されて、後面フレーム部１２ｂの内部縁に渡り張り合わされている。後部カバー３０は、後面フレーム部１２ｂの裏面にヒンジ接合されて、開閉可能に取り付けられている。
【００２９】
また、図５に示すように、後部カバー３０の裏面には、この立体表示シート鑑賞立て１０を起立させるための脚１６がヒンジ接合されている。脚１６は、図５に示すように、その接合部が斜めに向いており、これにより、この立体表示シート鑑賞立て１０を縦置き、横置きのいずれにも起立させることができるようになっている。また、引っ掛け用のフック部１７が溶着されている。
【００３０】
以上のように構成される立体表示シート鑑賞立て１０において、図７に示す写真等の表示シートＤ１、Ｄ２及びＤ３は、それぞれ、前部支持部２０、中間支持部２４、後部支持部２８に挟着されて、支持される。即ち、図３及び図４のように、結合部１２ｄと１２ｅとの結合を解除して、前面フレーム部１２ａと後面フレーム部１２ｂとを見開いた状態で、前部支持部２０の透明薄板２１、２２の間に表示シートＤ１を挟着し、中間支持部２４の透明薄板２５、２６の間に表示シートＤ２を挟着し、後部支持部２８の透明薄板２９と後部カバー３０に表示シートＤ３を挟着する。
【００３１】
表示シートＤ１、Ｄ２、Ｄ３を夫々対応する支持部にセットした後、結合部１２ｄ、１２ｅを結合する。これにより、前面フレーム部１２ａと後面フレーム部１２ｂが閉じて内部空間１８を画成し、同時に後部カバー３０も閉じるために、支持部２０、２４、２８は、該中空の内部空間１８内で、前後に離間して且つ前後方向に重ね合わせて保持され、各支持部で挟着された表示シートＤ１、Ｄ２、Ｄ３もそれぞれ、中空の内部空間１８において離間された状態で保持される。
【００３２】
こうして、表示シートＤ１、Ｄ２、Ｄ３を立体的に配置することができ、立体的に鑑賞することができる。
【００３３】
表示シートＤ１、Ｄ２、Ｄ３の組み合わせは、ユーザが自由に選択することができ、また、表示シートを対応する支持部に挟着させる位置もユーザが自由に選択することができる。例えば、最後部に配置されることになる表示シートＤ３は、背景的なものとし、最前部に配置されることになる表示シートＤ１は、自分や好きなキャラクタの写真または絵の切り抜きなどとすることができる。中間に配置されることになる表示シートＤ２も好きなものを選ぶことができ、図示のように、背景と切り抜きとの間を空間的に結びつける窓の絵柄とすることができる。こうして、表示シートの合成を楽しむことができる。
【００３４】
または、表示シートＤ１、Ｄ２、Ｄ３をそれぞれ時間的な要素を加えた絵とすることにより、奥行き時間の次元が加わった謂わば４次元的な表示シート鑑賞立てとすることができる。
【００３５】
または、これらの表示シートＤ１、Ｄ２、Ｄ３のいずれかを宙に浮かせたように配置することもできる。
【００３６】
表示シートＤ１、Ｄ２、Ｄ３のいずれかまたは全てを交換し、またはその位置を変更したい場合には、結合部１２ｄ、１２ｅの結合を解除して、対応する支持部の２枚の薄板に挟着する表示シートを交換するかまたは位置を変更すればよく、他の支持部はそのままでよいので、作業は簡単である。
【００３７】
尚、表示シートＤ１、Ｄ２、Ｄ３は、透明薄板２１と２２、透明薄板２５と２６、透明薄板２９と後部カバー３０との間に挟着することにしていたが、挟着力が十分でない場合には、透明薄板または後部カバーに両面テープまたは接着剤を介して表示シートを貼付することも可能である。その場合であっても、貼付する位置は、透明薄板または後部カバーによって形成される支持面内のいずれの位置をも選択することが可能である。
【００３８】
この例において、額フレーム１２を構成する前面フレーム部１２ａと後面フレーム部１２ｂは、それぞれ四角錘台形であったが、これに限るものではなく、円錐台形、三、五、六または八角錐形等、または円柱形、三、四、五、六または八柱形等の任意の立体形状とすることができる。
【００３９】
（第２の実施形態）
図８ないし図１０は、本考案の立体表示シート鑑賞立ての第２の実施形態を表す図である。図において、この立体表示シート鑑賞立て３１は、第１の実施形態と同様に見開き可能となった額フレーム３２を備えている。額フレーム３２は、プラスチック成形品で構成することができ、四角錘台形状をなして結合具３２ｃによって互いにヒンジ結合される前面フレーム部３２ａ及び後面フレーム３２ｂから構成されている。ヒンジ結合部を中心として、前面フレーム部３２ａと後面フレーム部３２ｂとは開閉可能であり、前面フレーム部３２ａの周縁に形成された鈎状の結合部３２ｄが、後面フレーム部３２ｂの周縁に形成された切欠状の結合部３２ｅに係止可能となっている。また、前面フレーム部３２ａの四隅近傍には、それぞれ凹部３２ｆが形成されており、後面フレーム部３２ｂの四隅近傍には、凹部３２ｆに対応して凸部３２ｇが形成されている。
【００４０】
結合部３２ｄと結合部３２ｅとが結合されると、凸部３２ｇが凹部３２ｆに嵌入し、第１の実施形態と同様に、２つの四角錘台の底面が重ね合わされて、これらの四角錘台が対向した状態で、広い中空の内部空間３８が形成される。そして、広い中空の内部空間３８内に、複数の支持部４０、４４、４８が互いに離間して設けられる。
【００４１】
図８及び図９に示すように、前面フレーム部３２ａの内部縁付近には、表示シートＤ１を挟着するための前部支持部４０が保持される。前部支持部４０は、一対のプラスチック透明薄板４１、４２からなる。一方の透明薄板４１は、その全周縁が前面フレーム部３２ａの内周縁に溶着されて、前面フレーム部３２ａの内部縁に渡り張り合わされており、他方の透明薄板４２は、その下端縁が透明薄板４１の下端縁に固定されており、また、その上端縁が押さえ片３２ｈ、３２ｈによって押さえられている。
【００４２】
図８及び図９に示すように、後面フレーム部３２ｂの外縁部付近には、表示シートＤ２を挟着するための中間支持部４４が保持される。中間支持部４４は、互いに、その一端縁が固定されたプラスチック透明薄板４５、４６からなり、これらの四隅部には、前記凸部３２ｇが貫通する孔が形成されている。凸部３２ｇが凹部３２ｆに嵌入することで、この透明薄板４５、４６は凸部３２ｇの基部において、固定される。
【００４３】
また、図８及び図１０に示すように、後面フレーム部３２ｂの内縁部は、後面フレーム部３２ｂと一体となった後部カバー４８となっており、この後部カバー４８が表示シートＤ３を支持する後部支持部４８となる。後部カバー４８の四隅付近には、それぞれポケット３２ｉが取り付けられており、この４つのポケット３２ｉに写真等の表示シートＤ３の一部を差し込み可能となっている。
【００４４】
このように構成される実施形態でも、第１の実施形態と同様の作用・効果が得られ、表示シートＤ１、Ｄ２、Ｄ３を立体的に配置することができ、立体的に鑑賞することができる。表示シートＤ１、Ｄ２、Ｄ３のいずれかまたは全てを交換し、またはその位置を変更したい場合には、結合部３２ｄと結合部３２ｅの結合を解除して、対応する支持部４０、４４、４８に支持される表示シートを交換し、または、その位置を変更する。このときに、表示シートＤ３の交換または位置を変換するときには、中間支持部４４である透明薄板４５、４６を取り外す必要があるが、これらは、互いに一端縁が固定されており、表示シートＤ２に影響を与えることなく、凸部３２ｇから一体的に取り外すことが可能である。
【００４５】
以上の第１の実施形態及び第２の実施形態で説明したように、表示シートを支持する支持部の具体的な構成については、様々な形態が可能であり、任意の適した構成とすることができる。
【００４６】
（第３の実施形態）
図１１は本考案の立体表示シート鑑賞立ての第３の実施形態を表す全体斜視図である。図において、この立体表示シート鑑賞立て５０は、額フレーム５２を備えている。額フレーム５２は、４つのフレーム部材５２ａ、５２ａ、５２ｂ、５２ｂと、隣接するフレーム部材５２ａ、５２ｂの端部同士を連結する角部ジョイント５２ｃ（図１３参照）で構成される。図１３に示すように、各フレーム部材５２ａ、５２ｂの横断面形状は同じであり、これらは押出成形で一度に安価に製造することができる。角部ジョイント５２ｃはＬ字状をなしており、その一端部がフレーム部材５２ｂの端部に差し込まれており、隣接するフレーム部材５２ａ、５２ｂ同士を結合する。
【００４７】
額フレーム５２の後部には、後部パネル５４が額フレーム５２の後部全面に亘り、張り渡されており、後部パネル５４は、上側フレーム部材５２ｂ以外のフレーム部材５２ａ、５２ｂにネジによって固定されている。後部パネル５４には、図１４に示すように、使用前は、脚５６となるべき部品が他の部分から一部分離可能に一体的に形成される。その部品を一部分離して、組み立てることにより、脚５６となる。この脚５６によって立体表示シート鑑賞立て５０を縦置き、横置きのいずれにも起立可能である。また、引っ掛け用のフック部５７も同様に後部パネル５４に対して一部分離可能に一体的に形成される。
【００４８】
図１３に示したように、フレーム部材５２ａ、５２ａ、５２ｂ、５２ｂと、後部パネル５４とによって、額フレーム５２の内側には、内部空間５８が画成される。
【００４９】
各フレーム部材５２ａ、５２ｂの内部縁には、複数の溝５２ｅが形成されており、各溝５２ｅに支持部６０が差し込まれる。
【００５０】
各支持部６０は、図１５に示すように、２枚のプラスチック透明薄板６２、６４からなり、これらの透明薄板６２、６４は、その上端縁において互いに結合されており、これらの間に表示シートＤ４、Ｄ５、Ｄ６を挟着することができるようになっている。
【００５１】
以上のように構成される立体表示シート鑑賞立て５０において、図１２に示すように、上側のフレーム部材５２ｂを取り外して、額フレーム５２の内部空間５８の上側（一側）を解放させた後、各溝５２ｅにはめ込まれていた複数の支持部６０を取り出し、これらの支持部６０の透明薄板６２、６４の間に所望の表示シートＤ４、Ｄ５、Ｄ６を挟着し、その後、再び、支持部６０を溝５２ｅに差し込み、上側の角部ジョイント５２ｃを上から装着する。これにより、内部空間５８内で、各支持部６０は、前後に離間して且つ前後方向に重ね合わせて保持され、各支持部６０で挟着された表示シートＤ４、Ｄ５、Ｄ６もそれぞれ、内部空間５８において離間された状態で保持される。
【００５２】
こうして、表示シートＤ４、Ｄ５、Ｄ６を立体的に配置することができ、立体的に鑑賞することができる。
【００５３】
また、表示シートＤ４、Ｄ５、Ｄ６のいずれかを交換またはその位置を変更したい場合には、上側のフレーム５２ｂを取り外して、対応する支持部６０を取り出して、表示シートの交換または位置の変更をすればよく、他の支持部はそのままでよいので、作業は簡単である。
【００５４】
尚、表示シートＤ４、Ｄ５、Ｄ６は、透明薄板６２と６４との間に挟着することにしていたが、挟着力が十分でない場合には、透明薄板６２または６４に両面テープまたは接着剤を介して表示シートを貼付することも可能である。その場合であっても、貼付する位置は、透明薄板６２または６４によって形成される支持面内のいずれの位置をも選択することが可能である。
【００５５】
（第４の実施形態）
図１６は本考案の立体表示シート鑑賞立ての第４の実施形態を表す全体斜視図である。図において、この立体表示シート鑑賞立て８０は、額フレーム８２を備えている。額フレーム８２は、前面フレーム部８２ａ、中間フレーム部８２ｂ及び後面フレーム部８２ｃからなり、それぞれは、ヒンジ８３、８３によりヒンジ結合されて、互いに屈曲可能にジグザグ状に連結されており、各フレーム部８２ａ、８２ｂ、８２ｃを互いに伸長させると、図１７に示すようになる。
【００５６】
前面フレーム部８２ａ、中間フレーム部８２ｂ及び後面フレーム部８２ｃは、それぞれ、押出成形により一度に形成することができるフレーム部材８４ａ、８４ｂで４辺が構成され、隣接するフレーム部材８４ａ、８４ｂは、Ｌ字状の角部ジョイント８４ｃによって、連結される。この連結については、第３の実施形態と同様であるため、詳細説明を省略する。この例では、各フレーム部８２ａ、８２ｂ、８２ｃに１つの支持部６０が差し込まれるようになっており、各フレーム部の厚みを調整することにより、各支持部６０の間隔を調整することができるようになっている。そして、各フレーム部８２ａ、８２ｂ、８２ｃを前後方向に重ね合わせて、額フレーム８２をまとめると、それによって形成される内部空間内に各支持部６０がフレーム部の厚みにより前後に離間して且つ前後方向に重ね合わせて保持され、各支持部で挟着された各表示シートも、それぞれ内部空間において、離間された状態で保持される。
【００５７】
この実施形態においても、前実施形態と同様の作用、効果が得られる。
【００５８】
以上のそれぞれの実施形態においては、各額フレームがそれぞれ３つの支持部を設けていたが、これに限るものではなく、２つの支持部または４つ以上の支持部を設けることも可能である。各実施形態によれば、支持部が複数であっても、額フレームとしてまとまった形状はコンパクトにすることができるので、携帯にも便利であり、旅行、出張先などにも持参することができ、お土産としても利用することができる。また、それぞれ額フレームを有しており、その額フレームの柄等と組合わせることにより、表示シートと額フレームとの様々なバリエーションを楽しむこともできる。
【００５９】
【考案の効果】
以上説明したように、本考案によれば、支持部の支持面で表示シートを支持するので、各支持部の支持面で支持する位置を色々に変化させることにより、前後の表示シートの相対的位置の自由度を大きくすることができる。
【００６０】
また、額フレームで複数の支持部を保持すると共に、最後部以外の支持部の支持面は透明薄板の面で構成され、支持部と隣接する支持部との間は中空、即ち、空間で構成することができるために、屈折率の影響を除去し、且つ、広々とした立体空間を構成することができる。また、コンパクトに構成することができ、携帯性にも優れたものとすることができる。
【図面の簡単な説明】
【図１】本考案の立体表示シート鑑賞立ての第１の実施形態を表す全体斜視図である。
【図２】図１の２−２線に沿って見た断面図である。
【図３】第１の実施形態の立体表示シート鑑賞立てを開いた状態を表す斜視図である。
【図４】第１の実施形態の立体表示シート鑑賞立てを開いた状態を表す斜視図である。
【図５】第１の実施形態の立体表示シート鑑賞立ての背面図である。
【図６】第１の実施形態の立体表示シート鑑賞立ての額フレームの前面フレーム部及び後面フレーム部のボール芯を表す図である。
【図７】第１の実施形態の立体表示シート鑑賞立て内に立体的に配置する表示シートの斜視図である。
【図８】第２の実施形態の立体表示シート鑑賞立ての図２の相当図である。
【図９】第２の実施形態の立体表示シート鑑賞立てを開いた状態を表す斜視図である。
【図１０】第２の実施形態の立体表示シート鑑賞立てを開いて、中間支持部を取り外した状態を表す斜視図である。
【図１１】本考案の立体表示シート鑑賞立ての第３の実施形態を表す全体斜視図である。
【図１２】第３の実施形態の表示シートの設定状態を表す全体斜視図である。
【図１３】第３の実施形態の部分破断斜視図である。
【図１４】第３の実施形態の背面側から見た斜視図である。
【図１５】第３の実施形態の立体表示シート鑑賞立て内に立体的に配置する表示シート及び支持部の斜視図である。
【図１６】本考案の立体表示シート鑑賞立ての第４の実施形態を表す全体斜視図である。
【図１７】第４の実施形態の立体表示シート鑑賞立てを伸ばした状態の全体斜視図である。
【符号の説明】
１０、３１、５０、８０　立体表示シート鑑賞立て
１２、３２、５２、８２　額フレーム
２０、２４、２８、４０、４４、４８、６０　支持部
２１、２２、２５、２６、２９、４１、４２、４５、４６、６２、６４　透明薄板
１２ａ、３２ａ　前面フレーム部
１２ｂ、３２ｂ　後面フレーム部
１８、３８、５８　内部空間
５２ａ、５２ｂ　フレーム部材
５２ｃ　ジョイント
５２ｅ　溝
８２ａ、８２ｂ、８２ｃ　フレーム部
８４ａ、８４ｂ　フレーム部材
８４ｃ　ジョイント
【図１】
0003097660.tif 000003
【図２】
0003097660.tif 000004
【図３】
0003097660.tif 000005
【図４】
0003097660.tif 000006
【図５】
0003097660.tif 000007
【図６】
0003097660.tif 000008
【図７】
0003097660.tif 000009
【図８】
0003097660.tif 000010
【図９】
0003097660.tif 000011
【図１０】
0003097660.tif 000012
【図１１】
0003097660.tif 000013
【図１２】
0003097660.tif 000014
【図１３】
0003097660.tif 000015
【図１４】
0003097660.tif 000016
【図１５】
0003097660.tif 000017
【図１６】
0003097660.tif 000018
【図１７】
0003097660.tif 000019